(57)【要約】
　【課題】　少ない部品点数で簡単容易に組み立てることができ、メンテナンス性も良好
で、カセットテープの挿入出動作を支障なく行うことができるカセットテープのローディ
ング機構を提供する。
　【解決手段】　シャーシ１と、カセットテープの挿入及び排出時に前記カセットテープ
の移動にあわせて回動するドライブレバー２と、シャーシ１に摺動可能に取り付けられる
ラック３と、ラック３に回動可能に係合支持されるフック部材４と、カセットテープを支
持するスライダ５とを有しており、ラック３はシャーシ１と接触する折り曲げ部３２と折
り返し部３２１と、ドライブレバー２の軸ボス２１と接触する支持部３１１をゆうしてお
り、シャーシ１はラック３の支持部３１１及び開口下端３１ｄを押えるラック押え部１３
を備えているカセットテープのローディング機構Ａ。
【選択図】　　　図　１
【実用新案登録請求の範囲】
【請求項１】
　シャーシと、
　カセットテープを支持するスライダと、
　カセットテープの挿入及び排出時に前記スライダの動作にあわせて回動するドライブレ
バーと、
　前記シャーシに摺動可能に取り付けられるラックと、
　前記ラックに回動可能に係合支持されるフック部材と、を有するカセットテープのロー
ディング機構であって、
　前記ドライブレバーは回転軸と接続し、回転中心である樹脂製の軸ボスと、回動の途中
で前記フック部材に係合する係合凸部と、前記スライダより突出するピンを受けるピン受
け部とを有しており、
　前記シャーシには前記ドライブレバーの前記軸ボスが貫通する孔と前記係合凸部が移動
する範囲で該係合凸部が貫通する孔が設けられており、
　前記ラックは中央部に摺動方向に延び前記軸ボスが摺動可能に貫通する長形の開口と、
下端部に前記シャーシの下端部に延びる折り曲げ部とを有しており、
　前記フック部材は、前記係合凸部と係合する係合凹所を有しており、
　前記ラックの摺動時の該ラックが前記シャーシから離れるのを規制する部分として、
　前記開口の上端部及び下端部のうち少なくとも一方に前記ドライブレバーとは反対側に
折り曲げられ前記ドライブレバーの軸ボスにて摺動可能に支持される支持部と、
　前記折り曲げ部の端部にシャーシと平行に折り曲げ、前記シャーシを内側から挟む折り
返し部と、
　前記シャーシの前記ラックの開口と重なる部分の一部を折り曲げることで前記ラックが
摺動するときに前記支持部と開口下部を押えるラック押え部と、を有していることを特徴
とするカセットテープのローディング機構。
【請求項２】
　シャーシと、
　カセットテープを支持するスライダと、
　カセットテープの挿入及び排出時に前記スライダの動作にあわせて回動するドライブレ
バーと、
　前記シャーシに摺動可能に取り付けられるラックと、
　前記ラックに回動可能に係合支持されるフック部材と、を有するカセットテープのロー
ディング機構であって、
　前記ドライブレバーは回転軸と接続し、回転中心である樹脂製の軸ボスと、回動の途中
で前記フック部材に係合する係合凸部と、前記スライダより突出するピンを受けるピン受
け部とを有しており、
　前記シャーシには前記ドライブレバーの前記軸ボスが貫通する孔と前記係合凸部が移動
する範囲で該係合凸部が貫通する孔が設けられており、
　前記ラックは中央部に摺動方向に延び前記軸ボスが摺動可能に貫通する長形の開口と、
下端部に前記シャーシの下端部に延びる折り曲げ部とを有しており、
　前記フック部材は、前記係合凸部と係合する係合凹所を有しており、
　前記ラックの摺動時の該ラックが前記シャーシから離れるのを規制する部分として、
　前記開口の上端部及び下端部のうち少なくとも一方に前記ドライブレバーとは反対側に
折り曲げられ前記ドライブレバーの軸ボスにて摺動可能に支持される支持部を有している
ことを特徴とするカセットテープのローディング機構。
【請求項３】
　シャーシと、
　カセットテープを支持するスライダと、
　カセットテープの挿入及び排出時に前記スライダの動作にあわせて回動するドライブレ
バーと、
　前記シャーシに摺動可能に取り付けられるラックと、
　前記ラックに回動可能に係合支持されるフック部材と、を有するカセットテープのロー
ディング機構であって、
　前記ドライブレバーは回転軸と接続し、回転中心である樹脂製の軸ボスと、回動の途中
で前記フック部材に係合する係合凸部と、前記スライダより突出するピンを受けるピン受
け部とを有しており、
　前記シャーシには前記ドライブレバーの前記軸ボスが貫通する孔と前記係合凸部が移動
する範囲で該係合凸部が貫通する孔が設けられており、
　前記ラックは中央部に摺動方向に延び前記軸ボスが摺動可能に貫通する長形の開口と、
下端部に前記シャーシの下端部に延びる折り曲げ部とを有しており、
　前記フック部材は、前記係合凸部と係合する係合凹所を有しており、
　前記ラックの摺動時の該ラックが前記シャーシから離れるのを規制する部分として、
　前記開口の上端部及び下端部のうち少なくとも一方に前記ドライブレバーとは反対側に
折り曲げられ前記ドライブレバーの軸ボスにて摺動可能に支持される支持部と、
　前記折り曲げ部の端部にシャーシと平行に折り曲げ、前記シャーシを内側から挟む折り
返し部と、を有していることを特徴とするカセットテープのローディング機構。
【請求項４】
　シャーシと、
　カセットテープを支持するスライダと、
　カセットテープの挿入及び排出時に前記スライダの動作にあわせて回動するドライブレ
バーと、
　前記シャーシに摺動可能に取り付けられるラックと、
　前記ラックに回動可能に係合支持されるフック部材と、を有するカセットテープのロー
ディング機構であって、
　前記ドライブレバーは回転軸と接続し、回転中心である樹脂製の軸ボスと、回動の途中
で前記フック部材に係合する係合凸部と、前記スライダより突出するピンを受けるピン受
け部とを有しており、
　前記シャーシには前記ドライブレバーの前記軸ボスが貫通する孔と前記係合凸部が移動
する範囲で該係合凸部が貫通する孔が設けられており、
　前記ラックは中央部に摺動方向に延び前記軸ボスが摺動可能に貫通する長形の開口と、
下端部に前記シャーシの下端部に延びる折り曲げ部とを有しており、
　前記フック部材は、前記係合凸部と係合する係合凹所を有しており、
　前記ラックの摺動時の該ラックが前記シャーシから離れるのを規制する部分として、
　前記開口の上端部及び下端部のうち少なくとも一方に前記ドライブレバーとは反対側に
折り曲げられ前記ドライブレバーの軸ボスにて摺動可能に支持される支持部と、
　前記シャーシの前記ラックの開口と重なる部分の一部を折り曲げることで前記ラックが
摺動するときに前記支持部と開口下部を押えるラック押え部と、を有していることを特徴
とするカセットテープのローディング機構。
【請求項５】
　シャーシと、
　カセットテープを支持するスライダと、
　カセットテープの挿入及び排出時に前記スライダの動作にあわせて回動するドライブレ
バーと、
　前記シャーシに摺動可能に取り付けられるラックと、
　前記ラックに回動可能に係合支持されるフック部材と、を有するカセットテープのロー
ディング機構であって、
　前記ドライブレバーは回転軸と接続し、回転中心である樹脂製の軸ボスと、回動の途中
で前記フック部材に係合する係合凸部と、前記スライダより突出するピンを受けるピン受
け部とを有しており、
　前記シャーシには前記ドライブレバーの前記軸ボスが貫通する孔と前記係合凸部が移動
する範囲で該係合凸部が貫通する孔が設けられており、
　前記ラックは中央部に摺動方向に延び前記軸ボスが摺動可能に貫通する長形の開口と、
下端部に前記シャーシの下端部に延びる折り曲げ部とを有しており、
　前記フック部材は、前記係合凸部と係合する係合凹所を有しており、
　前記ラックの摺動時の該ラックが前記シャーシから離れるのを規制する部分として、
　前記折り曲げ部の端部にシャーシと平行に折り曲げ、前記シャーシを内側から挟む折り
返し部を有していることを特徴とするカセットテープのローディング機構。
【請求項６】
　シャーシと、
　カセットテープを支持するスライダと、
　カセットテープの挿入及び排出時に前記スライダの動作にあわせて回動するドライブレ
バーと、
　前記シャーシに摺動可能に取り付けられるラックと、
　前記ラックに回動可能に係合支持されるフック部材と、を有するカセットテープのロー
ディング機構であって、
　前記ドライブレバーは回転軸と接続し、回転中心である樹脂製の軸ボスと、回動の途中
で前記フック部材に係合する係合凸部と、前記スライダより突出するピンを受けるピン受
け部とを有しており、
　前記シャーシには前記ドライブレバーの前記軸ボスが貫通する孔と前記係合凸部が移動
する範囲で該係合凸部が貫通する孔が設けられており、
　前記ラックは中央部に摺動方向に延び前記軸ボスが摺動可能に貫通する長形の開口と、
下端部に前記シャーシの下端部に延びる折り曲げ部とを有しており、
　前記フック部材は、前記係合凸部と係合する係合凹所を有しており、
　前記ラックの摺動時の該ラックが前記シャーシから離れるのを規制する部分として、
　前記折り曲げ部の端部にシャーシと平行に折り曲げ、前記シャーシを内側から挟む折り
返し部と、
　前記シャーシの前記ラックの開口と重なる部分の一部を折り曲げることで前記ラックが
摺動するときに前記支持部と開口下部を押えるラック押え部と、を有していることを特徴
とするカセットテープのローディング機構。
【請求項７】
　シャーシと、
　カセットテープを支持するスライダと、
　カセットテープの挿入及び排出時に前記スライダの動作にあわせて回動するドライブレ
バーと、
　前記シャーシに摺動可能に取り付けられるラックと、
　前記ラックに回動可能に係合支持されるフック部材と、を有するカセットテープのロー
ディング機構であって、
　前記ドライブレバーは回転軸と接続し、回転中心である樹脂製の軸ボスと、回動の途中
で前記フック部材に係合する係合凸部と、前記スライダより突出するピンを受けるピン受
け部とを有しており、
　前記シャーシには前記ドライブレバーの前記軸ボスが貫通する孔と前記係合凸部が移動
する範囲で該係合凸部が貫通する孔が設けられており、
　前記ラックは中央部に摺動方向に延び前記軸ボスが摺動可能に貫通する長形の開口と、
下端部に前記シャーシの下端部に延びる折り曲げ部とを有しており、
　前記フック部材は、前記係合凸部と係合する係合凹所を有しており、
　前記ラックの摺動時の該ラックが前記シャーシから離れるのを規制する部分として、
　前記シャーシの前記ラックの開口と重なる部分の一部を折り曲げることで前記ラックが
摺動するときに前記支持部と開口下部を押えるラック押え部を有していることを特徴とす
るカセットテープのローディング機構。
【考案の詳細な説明】
【技術分野】
【０００１】
　カセットテープを再生又は記録するときにプレーヤにカセットを挿入する又はプレーヤ
より排出するためのカセットテープのローディング機構に関するものである。
【背景技術】
【０００２】
　カセットテープに情報を書き込み又は読み出す装置として例えばＶＴＲがある。ＶＴＲ
は装置前面に設けられたカセットテープ挿入出孔より前記カセットテープを挿入出（ロー
ディング）する。
【０００３】
　図３に従来のＶＴＲ用カセットテープのローディング機構の概略配置図を示す。図３に
示すカセットテープのローディング機構Ｂは、シャーシ９１と、カセットテープの挿入及
び排出時に前記カセットテープの動作にあわせて回動するドライブレバー９２と、シャー
シ９１に摺動可能に取り付けられたラック９３と、ラック９３に回動可能に係合されてい
るフック部材９４と、を備えている。
【０００４】
　ドライブレバー９２とラック９３はシャーシ９１を挟んで配置されている。ドライブレ
バー９２はフック部材９４と接触しラック９３を摺動させる係合凸部９２１を有しており
、ドライブレバー９２は回動中心に段付き頭を有するボルト９５を螺合することで回動可
能に支持されている。
【０００５】
　フック部材９４はラック９３に回動可能に支持されていると共に、ドライブレバー９２
の係合凸部９２１と係合するための係合凹所９４１を備えており、ドライブレバー９２が
回動するときに、係合凸部９２１がフック部材９４の係合凹所９４１と係合してフック部
材９４を引っ張ることで、フック部材９４が回動可能に支持されているラック９３を摺動
する。
【０００６】
　ラック９３の中央部には摺動方向に延びる長孔９３１が形成されており、ドライブレバ
ー９２の回動中心を回動可能に支持しているボルト９５が長孔９３１の外側から内側のド
ライブレバー９２の回転中心に螺合される。ボルト９５の頭は螺旋側にラック９３の長孔
９３１の短手方向の長さと同じか、それより小さい直径の円筒部９５１と、螺旋側と反対
側に、円筒部９５１に隣接して長孔９３１の短手方向の長さよりも大きな径を有するフラ
ンジ部９５２を備えている。ボルト９５はその場で停止しているが、ラック９３は摺動す
るのでラック９３の摺動を妨げないようにドライブレバー９２と螺合されている。また、
フランジ部９５２を備えていることで、ラック９３がドライブレバー９２、すなわち、シ
ャーシ９１から外れようとするのを規制することが可能である。
【特許文献１】特開平６−３１４４５５号公報
【考案の開示】
【考案が解決しようとする課題】
【０００７】
　しかしながら、ラック９３を摺動可能に支持すると共に、ドライブレバー９２を螺合す
ることで回動可能に支持する段付きのボルト９５は規格で決められた部材ではなく、カセ
ットテープのローディング機構にあわせて製造された特別注文品であり、それだけにコス
トがかかる。また、ボルト止めのパーツが多いと、特に今のように回動部及び摺動部を支
持するボルトの場合、締め付けトルクが強すぎても弱すぎても問題が発生する。すなわち
、それだけ組立に手間がかかる。
【０００８】
　また、純粋に部品点数も増え、ボルトと螺合するナットもしくは雌ねじ穴を形成しなく
てはならず、その点でも、コスト及び製作時間が余分に必要である。
【０００９】
　そこで本考案は、ラックが摺動するときにシャーシからはなれて動作することなく、且
つ、前記ドライブレバーの回動を妨げることなく動作することができるカセットテープの
ローディング機構を提供することを目的とする。
【００１０】
　また本考案は、少ない部品点数で簡単容易に組み立てることができ、メンテナンス性も
良好で、カセットテープの挿入出動作を支障なく行うことができるカセットテープのロー
ディング機構を提供することを目的とする。
【課題を解決するための手段】
【００１１】
　上述のような課題を解決するために請求項１にかかる考案は、シャーシと、カセットテ
ープを支持するスライダと、カセットテープの挿入及び排出時に前記スライダの動作にあ
わせて回動するドライブレバーと、前記シャーシに摺動可能に取り付けられるラックと、
前記ラックに回動可能に係合支持されるフック部材と、を有するカセットテープのローデ
ィング機構であって、前記ドライブレバーは回転軸と接続し、回転中心である樹脂製の軸
ボスと、回動の途中で前記フック部材に係合する係合凸部と、前記スライダより突出する
ピンを受けるピン受け部とを有しており、前記シャーシには前記ドライブレバーの前記軸
ボスが貫通する孔と前記係合凸部が移動する範囲で該係合凸部が貫通する孔が設けられて
おり、前記ラックは中央部に摺動方向に延び前記軸ボスが摺動可能に貫通する長形の開口
と、下端部に前記シャーシの下端部に延びる折り曲げ部とを有しており、前記フック部材
は、前記係合凸部と係合する係合凹所を有しており、前記ラックの摺動時の該ラックが前
記シャーシから離れるのを規制する部分として、前記開口の上端部及び下端部のうち少な
くとも一方に前記ドライブレバーとは反対側に折り曲げられ前記ドライブレバーの軸ボス
にて摺動可能に支持される支持部と、前記折り曲げ部の端部にシャーシと平行に折り曲げ
、前記シャーシを内側から挟む折り返し部と、前記シャーシの前記ラックの開口と重なる
部分の一部を折り曲げることで前記ラックが摺動するときに前記支持部と開口下部を押え
るラック押え部と、を有していることを特徴とするカセットテープのローディング機構を
提供する。
【００１２】
　また請求項２にかかる考案は、シャーシと、カセットテープを支持するスライダと、カ
セットテープの挿入及び排出時に前記スライダの動作にあわせて回動するドライブレバー
と、前記シャーシに摺動可能に取り付けられるラックと、前記ラックに回動可能に係合支
持されるフック部材と、を有するカセットテープのローディング機構であって、前記ドラ
イブレバーは回転軸と接続し、回転中心である樹脂製の軸ボスと、回動の途中で前記フッ
ク部材に係合する係合凸部と、前記スライダより突出するピンを受けるピン受け部とを有
しており、前記シャーシには前記ドライブレバーの前記軸ボスが貫通する孔と前記係合凸
部が移動する範囲で該係合凸部が貫通する孔が設けられており、前記ラックは中央部に摺
動方向に延び前記軸ボスが摺動可能に貫通する長形の開口と、下端部に前記シャーシの下
端部に延びる折り曲げ部とを有しており、前記フック部材は、前記係合凸部と係合する係
合凹所を有しており、前記ラックの摺動時の該ラックが前記シャーシから離れるのを規制
する部分として、前記開口の上端部及び下端部のうち少なくとも一方に前記ドライブレバ
ーとは反対側に折り曲げられ前記ドライブレバーの軸ボスにて摺動可能に支持される支持
部を有していることを特徴とするカセットテープのローディング機構を提供する。
【００１３】
　また請求項３にかかる考案は、シャーシと、カセットテープを支持するスライダと、カ
セットテープの挿入及び排出時に前記スライダの動作にあわせて回動するドライブレバー
と、前記シャーシに摺動可能に取り付けられるラックと、前記ラックに回動可能に係合支
持されるフック部材と、を有するカセットテープのローディング機構であって、前記ドラ
イブレバーは回転軸と接続し、回転中心である樹脂製の軸ボスと、回動の途中で前記フッ
ク部材に係合する係合凸部と、前記スライダより突出するピンを受けるピン受け部とを有
しており、前記シャーシには前記ドライブレバーの前記軸ボスが貫通する孔と前記係合凸
部が移動する範囲で該係合凸部が貫通する孔が設けられており、前記ラックは中央部に摺
動方向に延び前記軸ボスが摺動可能に貫通する長形の開口と、下端部に前記シャーシの下
端部に延びる折り曲げ部とを有しており、前記フック部材は、前記係合凸部と係合する係
合凹所を有しており、前記ラックの摺動時の該ラックが前記シャーシから離れるのを規制
する部分として、前記開口の上端部及び下端部のうち少なくとも一方に前記ドライブレバ
ーとは反対側に折り曲げられ前記ドライブレバーの軸ボスにて摺動可能に支持される支持
部と、前記折り曲げ部の端部にシャーシと平行に折り曲げ、前記シャーシを内側から挟む
折り返し部と、を有していることを特徴とするカセットテープのローディング機構を提供
する。
【００１４】
　さらに請求項４にかかる考案は、シャーシと、カセットテープを支持するスライダと、
カセットテープの挿入及び排出時に前記スライダの動作にあわせて回動するドライブレバ
ーと、前記シャーシに摺動可能に取り付けられるラックと、前記ラックに回動可能に係合
支持されるフック部材と、を有するカセットテープのローディング機構であって、前記ド
ライブレバーは回転軸と接続し、回転中心である樹脂製の軸ボスと、回動の途中で前記フ
ック部材に係合する係合凸部と、前記スライダより突出するピンを受けるピン受け部とを
有しており、前記シャーシには前記ドライブレバーの前記軸ボスが貫通する孔と前記係合
凸部が移動する範囲で該係合凸部が貫通する孔が設けられており、前記ラックは中央部に
摺動方向に延び前記軸ボスが摺動可能に貫通する長形の開口と、下端部に前記シャーシの
下端部に延びる折り曲げ部とを有しており、前記フック部材は、前記係合凸部と係合する
係合凹所を有しており、前記ラックの摺動時の該ラックが前記シャーシから離れるのを規
制する部分として、前記開口の上端部及び下端部のうち少なくとも一方に前記ドライブレ
バーとは反対側に折り曲げられ前記ドライブレバーの軸ボスにて摺動可能に支持される支
持部と、前記シャーシの前記ラックの開口と重なる部分の一部を折り曲げることで前記ラ
ックが摺動するときに前記支持部と開口下部を押えるラック押え部と、を有していること
を特徴とするカセットテープのローディング機構を提供する。
【００１５】
　また請求項５にかかる考案は、シャーシと、カセットテープを支持するスライダと、カ
セットテープの挿入及び排出時に前記スライダの動作にあわせて回動するドライブレバー
と、前記シャーシに摺動可能に取り付けられるラックと、前記ラックに回動可能に係合支
持されるフック部材と、を有するカセットテープのローディング機構であって、前記ドラ
イブレバーは回転軸と接続し、回転中心である樹脂製の軸ボスと、回動の途中で前記フッ
ク部材に係合する係合凸部と、前記スライダより突出するピンを受けるピン受け部とを有
しており、前記シャーシには前記ドライブレバーの前記軸ボスが貫通する孔と前記係合凸
部が移動する範囲で該係合凸部が貫通する孔が設けられており、前記ラックは中央部に摺
動方向に延び前記軸ボスが摺動可能に貫通する長形の開口と、下端部に前記シャーシの下
端部に延びる折り曲げ部とを有しており、前記フック部材は、前記係合凸部と係合する係
合凹所を有しており、前記ラックの摺動時の該ラックが前記シャーシから離れるのを規制
する部分として、前記折り曲げ部の端部にシャーシと平行に折り曲げ、前記シャーシを内
側から挟む折り返し部を有していることを特徴とするカセットテープのローディング機構
を提供する。
【００１６】
　また請求項６にかかる考案は、シャーシと、カセットテープを支持するスライダと、カ
セットテープの挿入及び排出時に前記スライダの動作にあわせて回動するドライブレバー
と、前記シャーシに摺動可能に取り付けられるラックと、前記ラックに回動可能に係合支
持されるフック部材と、を有するカセットテープのローディング機構であって、前記ドラ
イブレバーは回転軸と接続し、回転中心である樹脂製の軸ボスと、回動の途中で前記フッ
ク部材に係合する係合凸部と、前記スライダより突出するピンを受けるピン受け部とを有
しており、前記シャーシには前記ドライブレバーの前記軸ボスが貫通する孔と前記係合凸
部が移動する範囲で該係合凸部が貫通する孔が設けられており、前記ラックは中央部に摺
動方向に延び前記軸ボスが摺動可能に貫通する長形の開口と、下端部に前記シャーシの下
端部に延びる折り曲げ部とを有しており、前記フック部材は、前記係合凸部と係合する係
合凹所を有しており、前記ラックの摺動時の該ラックが前記シャーシから離れるのを規制
する部分として、前記折り曲げ部の端部にシャーシと平行に折り曲げ、前記シャーシを内
側から挟む折り返し部と、前記シャーシの前記ラックの開口と重なる部分の一部を折り曲
げることで前記ラックが摺動するときに前記支持部と開口下部を押えるラック押え部と、
を有していることを特徴とするカセットテープのローディング機構を提供する。
【００１７】
　さらに請求項７にかかる考案は、シャーシと、カセットテープを支持するスライダと、
カセットテープの挿入及び排出時に前記スライダの動作にあわせて回動するドライブレバ
ーと、前記シャーシに摺動可能に取り付けられるラックと、前記ラックに回動可能に係合
支持されるフック部材と、を有するカセットテープのローディング機構であって、前記ド
ライブレバーは回転軸と接続し、回転中心である樹脂製の軸ボスと、回動の途中で前記フ
ック部材に係合する係合凸部と、前記スライダより突出するピンを受けるピン受け部とを
有しており、前記シャーシには前記ドライブレバーの前記軸ボスが貫通する孔と前記係合
凸部が移動する範囲で該係合凸部が貫通する孔が設けられており、前記ラックは中央部に
摺動方向に延び前記軸ボスが摺動可能に貫通する長形の開口と、下端部に前記シャーシの
下端部に延びる折り曲げ部とを有しており、前記フック部材は、前記係合凸部と係合する
係合凹所を有しており、前記ラックの摺動時の該ラックが前記シャーシから離れるのを規
制する部分として、前記シャーシの前記ラックの開口と重なる部分の一部を折り曲げるこ
とで前記ラックが摺動するときに前記支持部と開口下部を押えるラック押え部を有してい
ることを特徴とするカセットテープのローディング機構を提供する。
【００１８】
　この構成によると、従来のカセットテープのローディング機構に比べて、特殊な段付き
ボルトを使わなくなるので、該段付きボルトの設計及び製造にかかるコストや組みつけの
手間を省くことが可能である。
【考案の効果】
【００１９】
　本考案によると、ラックが摺動するときにシャーシからはなれて動作することなく、且
つ、ドライブレバーの回動を妨げることなく動作することができるカセットテープのロー
ディング機構を提供することができる。
【００２０】
　また本考案によると、少ない部品点数で簡単容易に組み立てることができ、メンテナン
ス性も良好で、カセットテープの挿入出動作を支障なく行うことができるカセットテープ
のローディング機構を提供することができる。
【考案を実施するための最良の形態】
【００２１】
　以下に本考案を実施するための最良の形態を図面を参照して説明する。図１（Ａ）及び
（Ｂ）に本考案にかかるカセットテープのローディング機構の概略正面図及び側面図をそ
れぞれ示す。
【００２２】
　図１に示すカセットテープのローディング機構Ａは、シャーシ１と、カセットテープの
挿入及び排出時に前記カセットテープの移動にあわせて回動するドライブレバー２と、シ
ャーシ１に摺動可能に取り付けられるラック３と、ラック３に回動可能に係合支持される
フック部材４と、カセットテープを支持するスライダ５とを有している。正面図に示すラ
ック３には便宜上網掛けを施している。
【００２３】
　シャーシ１は金属で形成されており、ドライブレバー２及びラック３とそれぞれ異なる
、隣り合う面で接触している。、また、シャーシ１には、後述するドライブレバー２の軸
ボス２１が貫通する軸ボス孔１１と、係合凸部２２が移動する範囲で係合凸部２２が貫通
する貫通回動孔１２が設けられている。
【００２４】
　ドライブレバー２はドライブレバー本体２０と、ドライブレバー２の回転中心である軸
ボス２１と、回動の途中でフック部材４に係合する係合凸部２２とを有しており、軸ボス
２１を介して回転軸に回動可能に支持されている。軸ボス２１及び係合凸部２２はドライ
ブレバー２の本体部２０の同じ側面に配置されている。ドライブレバー２はそれには限定
されないがここでは、軽量化、製造の利便性等の理由より樹脂製であり、ドライブレバー
本体２０と軸ボス２１及び係合凸部２２は一体的に形成されている。
【００２５】
　また、カセットテープを支持するスライダ５より突出しているピン５１を受けるピン受
け部２３も備えている。ピン受け部２３は、ピン５１がドライブレバー２に対して移動す
る範囲の長孔であればよく、ここでは、一端が解放された長孔となっている。
【００２６】
　ラック３は中央部３ｃに摺動方向に沿った長形の開口３１と、下端部３ｄにシャーシ２
の下端部に延びる折り曲げ部３２と、フック部材４を回動可能に連結するフック部材連結
部３３とを有しており、ドライブレバー２の軸ボス２１が長形の開口３１を貫通している
。また、ラック３はシャーシ１と同じ金属で形成されている。
【００２７】
　長形の開口３１の上側３１ｕはドライブレバー２が配置されている側と反対側に折り曲
げられた支持部３１１が形成されており、ラック３の摺動時にはドライブレバー２の軸ボ
ス２１は支持部３１１と接触している。支持部３１１がドライブレバー２と反対側に折り
曲げられており、金属であるラック３の開口３１を形成するときにできる鋭く尖ったエッ
ジ部分と軸ボス２１が直接接触することがほとんどないので、軸ボス２１が支持部３１１
によって磨耗することが少ない。
【００２８】
　また、軸ボス２１と支持部３１１が接触していることで、ラック３が摺動するときに軸
ボス２１によって規制され、ドライブレバー２、換言すると、シャーシ１より遠ざかるの
を防ぐことが可能である。また、ラック３の下端部３ｄの折り曲げ部３２は端部３２ａに
さらにシャーシ１に沿って（図中上方に）折り曲げられた折り返し部３２１を備えており
、折り返し部３２１と折り曲げ部３２及びラック３本体でシャーシ１を挟み込むことでラ
ック３がシャーシ１より離れていくのを規制している。
【００２９】
　フック部材４は、ドライブレバー２の係合凸部２２と係合する係合凹所４１と、ラック
３と回動可能に連結する連結部４２とを有しており、ドライブレバー２の回動時にドライ
ブレバー２が所定の位置に到達したときに、ドライブレバー２の係合凸部２２とフック部
材４の係合凹所４１が係合するように配置されている。
【００３０】
　さらに、シャーシ１はラック３の開口３１と重なる部分の一部を切って折り曲げること
で開口３１の支持部３１１と開口下部３１ｄを押えるラック押え部１３を有している。そ
して、ラック３の開口３１の下部３１ｄには矩形の切欠き３１２が形成されており、切欠
き３１２とラック押え部１３を重ねることでラック３をシャーシ１に取り付けることがで
きる。
【００３１】
　図２（Ａ）〜（Ｃ）に本考案にかかるカセットテープのローディング機構の動作手順の
一例の概略図を示す。
【００３２】
　図２（Ａ）に示すカセットテープのローディング機構１はカセットテープが挿入されて
いない状態である。スライダ５はカセットテープを待っている状態であり、ドライブレバ
ー２は、最も左（すなわちカセットテープの挿入口方向）に回動した状態に配置されてい
る。このとき、ラック３も最も左に配置されている。フック部材４の係合凹所４１はドラ
イブレバー２の係合凸部２２とは係合していない。
【００３３】
　図２（Ｂ）に示すカセットテープのローディング機構Ａは、カセットテープが挿入され
、使用者がカセットを手で押しスライダ５に乗って一定の位置まで押し込まれた状態であ
る。図２（Ａ）の状態から図２（Ｂ）の状態に至るまでスライダ５がカセットテープを支
持し移動するにあたり、スライダ５のピン５１がドライブレバー２のピン受け部２３内を
摺動すると共にドライブレバー２を回動させる。
【００３４】
　またこのときドライブレバー２の係合凸部２２が軸ボス２１周りに回動していき、フッ
ク部材４の係合凹所４１が係合凸部２２と係合し、フック部材４はドライブレバー２の回
動（矢印ａ１方向）に引っ張られる。フック部材４とフック部材連結部３３にて回動可能
に連結しているラック３はフック部材４の移動にあわせて、矢印ａ１１の方向に摺動する
。
【００３５】
　またこのとき、ラック３は図示を省略したスイッチを押し、スイッチが押されることで
カセットテープ挿入出用のモータが駆動され、カセットテープはモータにて自動的に再生
（録画）位置に送る。
【００３６】
　その後、図２（Ｃ）に示す位置まで、ドライブレバー２が回動すると共に、ラック３が
摺動する。この状態で、カセットテープ挿入出用のモータが停止する。
【００３７】
　以上の動作を行うときに、ラック３の折り曲げ部３２はシャーシ１の下端部と接触する
ことで、ラック３が浮き上がるのを防いでいる。また、ラック３の折り曲げ部３２に設け
られた折り返し部３２１及びシャーシ１のラック押え部１３にてシャーシ１とラック３が
離れるのを防いでいる。また、ラック３が摺動するときにはドライブレバー２の軸ボス２
１とラック３の開口３１の支持部３１１が接触しているので、樹脂製の軸ボス２１がラッ
ク３の開口３１のエッジで削れるのを防ぐことができる。また、軸ボス２１で支持部３１
１を支持することでラック３がずれるのを防ぐことも可能である。
【図面の簡単な説明】
【００３８】
【図１】図１（Ａ）は本考案にかかるカセットテープのローディング機構の一例の概略正面図であり、図１（Ｂ）は図１（Ａ）に示すカセットテープのローディング機構の概略側面図である。
【図２】図２（Ａ）〜図２（Ｃ）は図１に示すカセットテープのローディング機構の動作を示す概略側面図である。
【図３】図３（Ａ）は従来のカセットテープのローディング機構の一例の概略正面図であり、図（Ｂ）は図３（Ａ）に示すカセットテープのローディング機構の概略側面図である。
【符号の説明】
【００３９】
Ａ、Ｂ　カセットテープのローディング機構
１　シャーシ
１１　軸ボス孔
１２　貫通回動孔
１３　ラック押え部
２　ドライブレバー
２０　本体
２１　軸ボス
２２　係合凸部
２３　ピン受け部
３　ラック
３１　開口
３１１　支持部
３２　折り曲げ部
３２１　折り返し部
４　フック部材
４１　係合凹所
４２　連結部
５　スライダ
５１　ピン
【図１】
0003099922.tif 000002
【図２】
0003099922.tif 000003
【図３】
0003099922.tif 000004